(57)【要約】【課題】本発明は、冷蔵庫に関し、特にカメラシステムを備える冷蔵庫及びそのカメラシステムを提供する。【解決手段】本発明の冷蔵庫は、本体と、本体に接続されている少なくとも一つのドアと、ドアに設置されているカメラシステムと、を含む。本体は複数の保存場所を備え、食品を保存するのに用いられる。カメラシステムは、それぞれ複数の保存場所に対応する複数のカメラ装置を含む。また、カメラ装置は、第一カメラユニット及び第二カメラユニットを備え、それぞれ保存場所の映像を撮影する。【選択図】図３
2018115847.tif 000002
【特許請求の範囲】
【請求項１】
食品を保存するのに用いられる複数の保存場所を備える本体と、
前記本体に接続されている少なくとも一つのドアと、
前記少なくとも一つのドアに設置されているカメラシステムと、を備え、
前記カメラシステムは、それぞれ前記複数の保存場所と対応する複数のカメラ装置を含み、並びに、前記カメラ装置は、それぞれ前記保存場所の映像を撮影する第一カメラユニット及び第二カメラユニットを備えることを特徴とする冷蔵庫。
【請求項２】
前記第一カメラユニット及び第二カメラユニットの視野角は８８度より大きいことを特徴とする請求項１に記載の冷蔵庫。
【請求項３】
前記本体は第一側辺及び第二側辺を備え、前記ドアは第一側壁及び第二側壁を備え、前記本体の第一側辺と前記ドアの第一側壁はドア軸を介して互いに接続されることを特徴とする請求項１に記載の冷蔵庫。
【請求項４】
前記ドアは内板面及び外板面を備え、前記ドアが閉められている際、前記内板面は前記複数の保存場所と対向し、前記カメラ装置は前記内板面上に設置されることを特徴とする請求項３に記載の冷蔵庫。
【請求項５】
前記ドアの内板面上における前記第一側壁に近設する箇所には第一突部が設けられており、前記ドアの内板面上における前記第二側壁に近設する箇所には第二突部が設けられており、前記カメラ装置の第一カメラユニットは、前記第一突部上に沿って設置されており、前記カメラ装置の第二カメラユニットは、前記第二突部上に沿って設置されていることを特徴とする請求項４に記載の冷蔵庫。
【請求項６】
前記第一カメラユニット及び前記第二カメラユニットは、保存場所に向かって、且つ左に向いていることを特徴とする請求項５に記載の冷蔵庫。
【請求項７】
前記第一カメラユニットが左に向いている角度は、前記第二カメラユニットが左に向いている角度より大きいことを特徴とする請求項６に記載の冷蔵庫。
【請求項８】
前記第一カメラユニットが左に向いている角度は４５度であり、前記第二カメラユニットが左に向いている角度は２０度〜３０度であることを特徴とする請求項７に記載の冷蔵庫。
【請求項９】
前記少なくとも一つのドアは、第一ドア及び第二ドアを備え、前記第一ドアの幅は前記第二ドアの幅より大きく、前記カメラ装置は前記第一ドア上に設置されていることを特徴とする請求項１に記載の冷蔵庫。
【請求項１０】
前記冷蔵庫は更に映像処理モジュール及び送信モジュールを備え、前記映像処理モジュールは前記第一カメラユニットと前記第二カメラユニットとが撮影した映像を結合して、結合映像を形成し、並びに、前記送信モジュールを利用して前記結合映像を携帯端末に送信することを特徴とする請求項１に記載の冷蔵庫。
【発明の詳細な説明】
【技術分野】
【０００１】
本発明は、冷蔵庫に関し、特にカメラシステムを備える冷蔵庫及びそのカメラシステムに関するものである。
【背景技術】
【０００２】
社会の発展及び生活水準の向上に伴い、ユーザの冷蔵庫の機能に対する要求は、従来の保存機能に対する要求のほかに、スマート化に対しても高くなっている。
【０００３】
従来、冷蔵庫内に物を保存する際は、通常先ず冷蔵庫のドアを開けて中の状態を確認してから保存するため時間と労力を費やす。したがって、ユーザに不便である。また、頻繁に冷蔵庫のドアを開け閉めすると、中の冷気が外に漏れてしまいエネルギーを消費してしまう。この他にも、ユーザが沢山の食品を購入した後にこれら食品を冷蔵庫に保存するも、購入したことを忘れてしまい食品の賞味期限が過ぎてしまう場合がある。特に賞味期限切れの食品は異臭がし始めて初めて発見される場合が多く、冷蔵庫内には細菌が発生する。また、冷蔵庫内に沢山の食品を放置した場合、冷蔵庫内部の冷気の循環が滞り冷却効果を下げてしまう。したがって、この問題を解決するために、従来のスマート冷蔵庫は冷蔵庫内の食品を撮影するために保存空間内にカメラ装置が設置されており、スマート冷蔵庫の送信システムを介して撮影された食品の映像がユーザに送られる。 
【０００４】
図１は、冷蔵庫内の一部を示す図である。従来のカメラ装置１１０は、冷蔵庫１００の食品等を放置する場所（保存場所）の内壁上に設置される。しかし、一般の冷蔵庫の内部は多層からなる保存空間を有するため、従来のカメラ装置では冷蔵庫の各層に放置されている食品を完全に撮影することはできない。また、この従来のカメラ装置は、冷蔵庫内の保存場所に設置されて外に向かって撮影するため冷蔵庫のドアの上方しか撮影できず、保存場所内に放置されている食品を完全に撮影することができない。
【０００５】
したがって、ユーザが冷蔵庫内の食品の状態を容易に知ることができるカメラシステムを必要とする。このカメラシステムを介して冷蔵庫内の各層に放置されている食品を完全に撮影することで、効果的に冷蔵庫を使用でき、食品の廃棄物を減らすことができる。
【発明の概要】
【発明が解決しようとする課題】
【０００６】
以上の問題点に鑑みて、本発明は、冷蔵庫及びそのカメラシステムを提供する。本発明のカメラシステムは、冷蔵庫のドアの内板面上に設置されており、且つ対応する各層の保存場所は全て左右二つのカメラユニットを採用して撮影される。したがって、当該左右二つのカメラユニットは、それぞれ左右両方から保存場所を撮影でき、死角を無くすことができるため、ユーザは、容易に冷蔵庫内の各層の保存場所の状況を完全に確認できる。
【課題を解決するための手段】
【０００７】
本発明は、冷蔵庫を提供する。この冷蔵庫は、本体と、この本体に接続されている少なくとも一つのドアと、ドアに設置されているカメラシステムと、を含む。本体は複数の保存場所を備え、食品を保存するのに用いられる。カメラシステムは、それぞれ複数の保存場所に対応する複数のカメラ装置を含む。また、カメラ装置は第一カメラユニット及び第二カメラユニットを備え、それぞれ保存場所の映像を撮影する。
【０００８】
本発明は、冷蔵庫に用いられるカメラシステムを提供する。冷蔵庫は本体及び本体に接続されている少なくとも一つのドアを含む。本体は複数の保存場所を備え、食品を保存するのに用いられる。本発明のカメラシステムはドア上に設置されており、カメラシステムは、それぞれ複数の保存場所に対応する複数のカメラ装置を含む。また、カメラ装置は、第一カメラユニット及び第二カメラユニットを備え、それぞれ保存場所の映像を撮影する。
【０００９】
本発明は、冷蔵庫食品管理方法を提供する。この冷蔵庫食品管理方法は、冷蔵庫内に送信モジュールが設置され、冷蔵庫は、本体及びこの本体に接続されている少なくとも一つのドアを有し、本体は複数の保存場所を備え、食品を保存するのに用いられる。冷蔵庫のドア上には、カメラシステム及び送信モジュールと互いに接続されている映像処理モジュールが設置されている。カメラシステムは、それぞれ冷蔵庫の複数の保存場所に対応する複数のカメラ装置を備える。カメラ装置は、第一カメラユニット及び第二カメラユニットを含み、冷蔵庫が閉められた後、第一カメラユニットと第二カメラユニットはそれぞれ保存場所を撮影して、保存場所の映像を取得する。映像処理モジュールは、第一カメラユニット及び第二カメラユニットが撮影した映像を結合して結合映像を形成する。送信モジュールを利用してこの結合映像は携帯端末に送信される。
【００１０】
実施形態において、第一カメラユニット及び第二カメラユニットの視野角は８８度より大きい。好ましくは、第一カメラユニット及び第二カメラユニットの視野角は１８０度である。
【００１１】
実施形態において、本体は第一側辺及び第二側辺を備え、ドアは第一側壁及び第二側壁を備える。本体の第一側辺とドアの第一側壁はドア軸を介して互いに接続されている。
【００１２】
実施形態において、ドアは内板面及び外板面を備え、ドアが閉められた後、ドアは複数の保存場所に対向する。カメラ装置は内板面上に設置されている。
【００１３】
実施形態において、ドアの内板面上における第一側壁に近設する箇所には、第一突部が設けられており、ドアの内板面上における第二側壁に近設する箇所には、第二突部が設けられている。カメラ装置の第一カメラユニットは第一突部上に沿って設置されており、カメラ装置の第二カメラユニットは第二突部上に沿って設置されている。
【００１４】
実施形態において、第一カメラユニット及び第二カメラユニットは保存場所に向かって、且つ左に向いている。
【００１５】
実施形態において、第一カメラユニットが左に向いている角度は、第二カメラユニットが左に向いている角度より大きい。
【００１６】
実施形態において、第一カメラユニットが左に向いている角度は４５度であり、第二カメラユニットが左に向いている角度は２０度〜３０度である。
【００１７】
実施形態において、少なくとも一つのドアは第一ドア及び第二ドアを備え、第一ドアの幅は第二ドアの幅より大きい。カメラ装置は第一ドア上に設置されている。
【００１８】
実施形態において、冷蔵庫は更に映像処理モジュール及び送信モジュールを備える。映像処理モジュールは、第一カメラユニットと第二カメラユニットが撮影した映像を結合して、結合映像を形成し、並びに、送信モジュールを利用して結合映像が携帯端末に送信される。
【発明の効果】
【００１９】
本発明の冷蔵庫、そのカメラシステム及び冷蔵庫食品管理方法は、カメラシステムが冷蔵庫のドアの内板面上に設置されており、且つ対応する各層の保存場所は全て左右二つのカメラユニットを採用して撮影される。したがって、当該左右二つのカメラユニットは、それぞれ左右両方から保存場所を撮影できるため、死角を無くすことができる。また、本発明は、映像処理モジュールを利用して、左右二つのカメラユニットが撮影した映像を完全な保存場所の映像に結合する。並びに、送信モジュールを介して結合された後の映像をユーザの携帯端末に送信するか或いは冷蔵庫の外板面上の表示装置に送信する。これにより、ユーザは、冷蔵庫のドアを開けなくても冷蔵庫内の各層の保存場所の状況を確認することができる。本発明の冷蔵庫、そのカメラシステム及び冷蔵庫食品管理方法は、便利に且つ素早くユーザに冷蔵庫内の状況を知らせることができるため、同じ食品の購入を防ぐことができ、無駄な出費も抑えることができると共に、直ぐに補充しなければならない食品を確認できる。同時に冷蔵庫のドアが頻繁に開け閉めされることで冷気が外に漏れるのも防ぐことができるので、エネルギーも節約できる。
【図面の簡単な説明】
【００２０】
【図１】従来の冷蔵庫のカメラ装置を示す図である。
【図２Ａ】本発明の実施形態に係る冷蔵庫の前から見た図であり、冷蔵庫のドアが閉まっている状態を示す。
【図２Ｂ】本発明の実施形態に係る冷蔵庫の前から見た図であり、冷蔵庫のドアが開いている状態を示す分解図である。
【図３】本発明に係る冷蔵庫のドアとカメラシステムを示す図である。
【図４】本発明に係る冷蔵庫のドアの一部及びカメラ装置の拡大斜視図である。
【図５】本発明に係るカメラシステムの第一カメラユニット、第二カメラユニット及びこれらが撮影した映像を示す図である。
【図６】本発明に係る冷蔵庫における食品管理方法のフローチャートである。
【発明を実施するための形態】
【００２１】
以下図面を参照しながら、本発明の実施形態に係る冷蔵庫及びそのカメラシステムを説明する。同じ部品については同じ符号を付して示す。
【００２２】
図２Ａ、図２Ｂ及び図３に示すように、本発明の冷蔵庫２００は、本体２１０、第一ドア２２０、第二ドア２３０及びカメラシステム３００を含む。第一ドア２２０及び第二ドア２３０は、ドア軸（図示せず）を介して本体２１０にそれぞれ接続される。本実施形態において、本発明の冷蔵庫２００は、６ドア冷蔵庫を例にして説明するがこれに限定されない。図２Ａ及び図２Ｂに示すように、冷蔵庫２００は更に第一引き出し２４０、第二引き出し２５０、第三引き出し２６０及び第四引き出し２７０を備える。６ドア冷蔵庫の本体２１０の構造と引き出しは従来の構造と同じであるので、ここでの説明は省略する。本体２１０は食品を保存する複数の保存場所を備える。本実施形態において、本体２１０は、第一保存場所２１１、第二保存場所２１２、第三保存場所２１３及び第四保存場所２１４の四つの保存場所を備える。これら保存場所２１１、２１２、２１３、２１４は、本体２１０の長軸方向に沿って且つ本体２１０内にそれぞれ設置されている。第一ドア２２０及び第二ドア２３０は、保存場所２１１、２１２、２１３、２１４に対応して設置されており、第一ドア２２０及び第二ドア２３０が閉められた際、第一ドア２２０及び第二ドア２３０は、保存場所２１１、２１２、２１３、２１４を覆って密封空間を形成する。ユーザが保存場所２１１、２１２、２１３、２１４から食品を取る際、第一ドア２２０又は第二ドア２３０を開けるか或いは第一ドア２２０と第二ドア２３０を同時に開けることができる。ユーザは食品を取り出した後、第一ドア２２０及び第二ドア２３０を閉めて保存場所２１１、２１２、２１３、２１４を閉じることで中の冷気が外に漏れるのを防ぐ。本実施形態において、第一ドア２２０の幅は第二ドア２３０の幅より大きい。
【００２３】
本体２１０は第一側辺２１０１及び第二側辺２１０２を備える。第一側辺２１０１及び第二側辺２１０２は互いに平行して本体２１０の両側に設置されている。第一ドア２２０は矩形の形状を有し、第一側壁２２０１、第二側壁２２０２、第三側壁２２０３及び第四側壁２２０４を含む。第一側壁２２０１と第二側壁２２０２とは互いに平行して位置し、第三側壁２２０３と第四側壁２２０４とは互いに平行して位置する。第一側壁２２０１は第三側壁２２０３と第四側壁２２０４に垂直に位置し、第二側壁２２０２も第三側壁２２０３と第四側壁２２０４に垂直に位置する。第一ドア２２０の第一側壁２２０１は、ドア軸（図示せず）を介して本体２１０の第一側辺２１０１に接続される。ユーザが第一ドア２２０の第二側壁２２０２に対して外に引っ張る力を提供すると、この第一ドア２２０は、第二側壁２２０２が外に向かって保存場所２１１、２１２、２１３、２１４から離れる方法を介して開けられる。前記ドア軸の構造及び第一ドア２２０と本体２１０の接続方法は従来の冷蔵庫の構造を参考にできるので、ここでの説明は省略する。
【００２４】
図３を参照すると、第一ドア２２０は、内板面２２０５及びこの内板面２２０５に相対して位置する外板面（図示せず）を備える。第一ドア２２０が閉められている際、内板面２２０５は保存場所２１１、２１２、２１３、２１４に対向している。カメラシステム３００は複数のカメラ装置を備える。本実施形態において、カメラシステム３００は、第一カメラ装置、第二カメラ装置、第三カメラ装置及び第四カメラ装置を含む。第一カメラ装置は、第一カメラユニット３１０１及び第二カメラユニット３１０２を備え、第二カメラ装置は、第一カメラユニット３２０１及び第二カメラユニット３２０２を備え、第三カメラ装置は、第一カメラユニット３３０１及び第二カメラユニット３３０２を備え、第四カメラ装置は、第一カメラユニット３４０１及び第二カメラユニット３４０２を備える。これらのカメラ装置は、第一ドア２２０の内板面２２０５上に設置され、且つ保存場所２１１、２１２、２１３、２１４にそれぞれ対応する。つまり、第一カメラユニット３１０１、３２０１、３３０１、３４０１と第二カメラユニット３１０２、３２０２、３３０２、３４０２は、第一ドア２２０の内板面２２０５上に設置されている。また、第一ドア２２０が閉められている際、第一カメラ装置の第一カメラユニット３１０１と第二カメラユニット３１０２は第一保存場所２１１を撮影し、第二カメラ装置の第一カメラユニット３２０１と第二カメラユニット３２０２は第二保存場所２１２を撮影し、第三カメラ装置の第一カメラユニット３３０１と第二カメラユニット３３０２は第三保存場所２１３を撮影し、第四カメラ装置の第一カメラユニット３４０１と第二カメラユニット３４０２は第四保存場所２１４を撮影する。
【００２５】
第一カメラユニット３１０１、３２０１、３３０１、３４０１と第二カメラユニット３１０２、３２０２、３３０２、３４０２の視野角（Ｆｉｅｌｄ  ｏｆ  ｖｉｅｗ，ＦＯＶ）は８８度より大きい。本実施形態において、第一カメラユニット３１０１、３２０１、３３０１、３４０１と第二カメラユニット３１０２、３２０２、３３０２、３４０２の視野角は１８０度である。
【００２６】
図４を参照すると、第一ドア２２０の内板面２２０５上には更に第一突部２２０６及び第二突部２２０７が設けられている。第一突部２２０６は第一側壁２２０１と第二側壁に平行に位置し、且つ第一側壁２２０１に近設している。第二突部２２０７は第一側壁２２０１と第二側壁２２０２に平行に位置し、且つ第二側壁２２０２に近設している。第一カメラユニット３１０１、３２０１、３３０１、３４０１は、第一突部２２０６上に沿って設置されており、且つ第三側壁２２０３と第四側壁２２０４に垂直に位置している。第二カメラユニット３１０２、３２０２、３３０２、３４０２は、第二突部２２０７上に沿って設置されており、且つ第三側壁２２０３と第四側壁２２０４に垂直に位置している。
【００２７】
本実施形態において、冷蔵庫２００は第一ドア２２０及び第二ドア２３０を備える。図２Ａに示すように、冷蔵庫２００を正面から見ると、第一ドア２２０の内板面２２０５は保存場所２１１、２１２、２１３、２１４の右側空間に対応し、第二ドア２３０の内板面は保存場所２１１、２１２、２１３。２１４の左側空間に対応している。第一カメラユニット３１０１、３２０１、３３０１、３４０１と第二カメラユニット３１０２、３２０２、３３０２、３４０２は、第一ドア２２０の内板面２２０５上に設置されており、第二ドア２３０に対向して位置する保存場所の左側空間を撮影するために、第一カメラユニット３１０１、３２０１、３３０１、３４０１と第二カメラユニット３１０２、３２０２、３３０２、３４０２は、保存場所２１１、２１２、２１３、２１４に向かって、且つ左に向けて第一突部２２０６及び第二２２０７上に設置されている。第一カメラユニット３１０１、３２０１、３３０１、３４０１が左に向いている角度は、第二カメラユニット３１０２、３２０２、３３０２、３４０２が左に向いている角度より大きい。本実施形態において、第一カメラユニット３１０１、３２０１、３３０１、３４０１が左に向いている角度は４５度であり、第二カメラユニット３１０２、３２０２、３３０２、３４０２が左に向いている角度は２０度〜３０度である。
【００２８】
本発明の冷蔵庫２００は更に送信モジュール（図示せず）を含む。この送信モジュールはカメラシステム３００に接続されており、第一カメラユニット３１０１、３２０１、３３０１、３４０１と第二カメラユニット３１０２、３２０２、３３０２、３４０２が撮影した保存場所２１１、２１２、２１３、２１４の映像をリモート装置（図示せず）に送信する。これにより、ユーザは容易に遠隔地から冷蔵庫の使用状況がわかる。当該リモート装置は携帯端末又はリモートサーバであってもよい。
【００２９】
また、本発明の冷蔵庫２００は更に映像処理モジュール（図示せず）を備える。この映像処理モジュールは、第一カメラユニット３１０１、３２０１、３３０１、３４０１と第二カメラユニット３１０２、３２０２、３３０２、３４０２が撮影した映像を結合させる。例えば、映像処理モジュールは、第一カメラユニット３１０１と第二カメラユニット３１０２が撮影した映像を結合して、完全な第一保存場所２１１の結合映像を形成する。次いで前記送信モジュールは、この結合映像をユーザの携帯端末又はリモートサーバに送信する。
【００３０】
他の実施形態において、映像処理モジュールはリモートサーバ中に設置されている。例えば、リモートサーバが送信モジュールにより送信された映像を受信した後、映像処理モジュールは第一カメラユニット３１０１と第二カメラユニット３１０２が撮影した映像を結合して、完全な第一保存場所２１１の結合映像を形成する。
【００３１】
他の実施形態において、本発明は更に表示モジュール（図示せず）を備える。この表示モジュールは、第一ドア２２０又は第二ドア２３０の外板面（図示せず）上に設置され、且つカメラシステム３００に接続されている。当該表示モジュールは、第一カメラユニット３１０１、３２０１、３３０１、３４０１と第二カメラユニット３１０２、３２０２、３３０２、３４０２が撮影した保存場所２１１、２１２、２１３、２１４の映像を表示するのに用いられる。好ましくは、冷蔵庫２００の映像処理モジュールは、第一カメラユニット３１０１、３２０１、３３０１、３４０１と第二カメラユニット３１０２、３２０２、３３０２、３４０２との映像を結合して、完全な複数の保存場所２１１、２１２、２１３、２１４の結合映像を形成し、次いで表示モジュールがこれらの結合映像を表示する。本発明の冷蔵庫は、ユーザが冷蔵庫のドアを開けなくても外板面上に設置されている表示モジュールを介して便利に保存場所内の食品を確認することができる。
【００３２】
第一保存場所２１１を例にして説明すると、図５に示すように、映像３１０１ａは、第一カメラユニット３１０１が撮影した第一保存場所２１１の右側空間の映像であり、映像３１０２ａは、第二カメラユニット３１０２が撮影した第一保存場所２１１の左側空間の映像である。第一カメラユニット３１０１と第二カメラユニット３１０２は撮影する範囲が一部重なるが、映像処理モジュールの処理を介して、映像３１０１ａと３１０２ａとは結合されて一枚の結合映像が形成され、第一保存場所２１１に保存されている食品を完全に表示する。同様の方法によって、他の保存場所２１２、２１３、２１４の結合映像を取得する。送信モジュールを利用して、この結合映像をユーザの携帯端末に送信するか或いは直接表示モジュールに表示する。これにより、ユーザは冷蔵庫のドアを開けなくても、更には遠隔地からでも冷蔵庫の保存場所に放置されている食品の状況を確認することができる。例えば、ユーザがスーパーマーケットで買い物をする際に、先ず携帯電話を介して本発明のカメラシステムが撮影した映像を見て自宅の冷蔵庫の中にある食品を把握できるため、同じ食品の購入を防ぐことができると共に、無駄な出費も抑えることができる。
【００３３】
また、本発明は冷蔵庫に使用されるカメラシステムを提供する。冷蔵庫は、本体及びこの本体に接続されている少なくとも一つのドアを含む。本体は、複数の保存場所を有し、ドアは内板面及び外板面を備える。本発明のカメラシステムは、ドアの内板面上に設置されている。カメラシステムはそれぞれ複数の保存場所に対応する複数のカメラ装置を含む。カメラ装置は、第一カメラユニット及び第二カメラユニットを含み、これら第一カメラユニット及び第二カメラユニットはそれぞれ保存場所の映像を撮影する。本実施形態において、この第一カメラユニット及び第二カメラユニットの視野角は８８度より大きい。第一カメラユニットは、保存場所に向かって、且つ左に４５度向いている。第二カメラユニットは、保存場所に向かって、且つ左に２０度〜３０度向いている。本発明のカメラシステムは、冷蔵庫のドアの内板面上に設置されており、且つ各層に対応する保存場所は全て左右二つのカメラユニットを採用して撮影される。左右二つのカメラユニットは、それぞれ左右両方から保存場所を撮影できるため、死角を無くすことができ、ユーザは容易に且つ完全に冷蔵庫内の各層の保存場所の状況を確認できる。また、本発明のカメラシステムの各細かい部品の組み合わせ、変化の態様及びその他の部品の接続関係は、前記実施形態と同じであるので、ここでの説明は省略する。
【００３４】
また、本発明は、冷蔵庫内にカメラシステムを設置する冷蔵庫食品管理方法も提供する。冷蔵庫は、本体及びこの本体に接続されている少なくとも一つのドアを含む。本体は複数の保存場所を備え、ドアは内板面及び外板面を含む。図６を参照すると、本発明の冷蔵庫食品管理方法は以下のステップを含む。
【００３５】
ステップＳ０１：冷蔵庫内に送信モジュールを設置する。
【００３６】
ステップＳ０２：ドアの内板面上にカメラシステム及び送信モジュールに接続されている映像処理モジュールを設置する。カメラシステムはそれぞれ複数の保存場所に対応している複数のカメラ装置を含む。カメラ装置は、第一カメラユニット及び第二カメラユニットを含む。本実施形態において、第一カメラユニットと第二カメラユニットの視野角は８８度より大きい。第一カメラユニットは保存場所に向かって、且つ左に４５度向いている。第二カメラユニットは保存場所に向かって、且つ左に２０度〜３０度向いている。
【００３７】
ステップＳ０３：冷蔵庫のドアが閉められた後、第一カメラユニットと第二カメラユニットはそれぞれ複数の保存場所を撮影して、この複数の保存場所の映像を取得する。
【００３８】
ステップＳ０４：映像処理モジュールは、第一カメラユニットと第二カメラユニットが撮影した映像を結合して、結合映像を形成する。
【００３９】
ステップＳ０５：送信モジュールを利用して、結合映像を表示装置に送信する。この表示装置は冷蔵庫の外板面上に設置されている表示モジュールであるか或いは携帯端末である。
【００４０】
本発明の冷蔵庫食品管理方法は、カメラシステムを冷蔵庫のドアの内板面上に設置し、対応する各層の保存場所は全て左右二つのカメラユニットを採用して撮影される。この際、当該左右二つのカメラユニットは、それぞれ左右両方から保存場所を撮影できるため、死角を無くすことができる。また、本発明の冷蔵庫食品管理方法は、映像処理モジュールを利用して左右二つのカメラユニットがそれぞれ撮影した映像を完全な保存場所の映像に結合する。並びに、送信モジュールを介して結合された後の映像をユーザの携帯端末に送信するか或いは冷蔵庫の外板面上の表示モジュールに送信する。これにより、ユーザは、冷蔵庫のドアを開けなくても冷蔵庫内の各層の保存場所の状況を確認することができる。尚、冷蔵庫及びカメラシステムの各細かい部品の組み合わせ、変化の態様及びその他の部品の接続関係は、前記実施形態と同じであるので、ここでの説明は省略する。
【００４１】
以上より、本発明の冷蔵庫、そのカメラシステム及び冷蔵庫食品管理方法は、カメラシステムが冷蔵庫のドアの内板面上に設置されており、且つ対応する各層の保存場所は全て左右二つのカメラユニットを採用して撮影される。これにより、左右二つのカメラユニットは、それぞれ左右両方から保存場所を撮影できるため、死角を無くすことができる。また、本発明は、映像処理モジュールを利用して、左右二つのカメラユニットがそれぞれ撮影した映像を完全な保存場所の映像に結合する。並びに、送信モジュールを介してこの結合された後の映像をユーザの携帯端末に送信する又は冷蔵庫の外板面上に設置されている表示モジュールに送信する。これにより、ユーザは冷蔵庫を開けなくても冷蔵庫内の各層の保存場所の状況を確認することができる。また、本発明が提供する冷蔵庫、そのカメラシステム及び冷蔵庫食品管理方法は、便利に且つ素早くユーザに冷蔵庫内の状況を知らせることができるため、同じ食品の購入を防ぐことができ、無駄な出費も抑えることができると共に、補充しなければならない食品を直ぐに確認できる。また、冷蔵庫のドアが頻繁に開け閉めされることで冷気が外に漏れるのも防ぐことができるので、エネルギーも節約できる。
【００４２】
上記の記述は例として挙げたものであり、これらに限定されない。本発明の精神と範囲を逸脱しない限り内容を修正又は変更することができるが、このような全ての修正及び変更は後に添付されている特許請求の範囲内に含まれる。
【符号の説明】
【００４３】
１００、２００  冷蔵庫
１１０  カメラ装置
２１０  本体
２１１  第一保存場所
２１２  第二保存場所
２１３  第三保存場所
２１４  第四保存場所
２２０  第一ドア
２３０  第二ドア
２４０  第一引き出し
２５０  第二引き出し
２６０  第三引き出し
２７０  第四引き出し
３００  カメラシステム
２１０１  第一側辺
２１０２  第二側辺
２２０１  第一側壁
２２０２  第二側壁
２２０３  第三側壁
２２０４  第四側壁
２２０５  内板面
３１０１、３２０１、３３０１、３４０１  第一カメラユニット
３１０２、３２０２、３３０２、３４０２  第二カメラユニット
２２０６  第一突部
２２０７  第二突部
３１０１ａ、３１０２ａ  映像
【図１】
2018115847.tif 000003
【図２Ａ】
2018115847.tif 000004
【図２Ｂ】
2018115847.tif 000005
【図３】
2018115847.tif 000006
【図４】
2018115847.tif 000007
【図５】
2018115847.tif 000008
【図６】
2018115847.tif 000009